(57)【要約】【課題】  保持部を有する包装箱に収納されて、包装箱の内部に確実に保持されるとともに、輸送時などに外部から加えられる振動や衝撃が緩和される、包装箱付き照明ランプおよび包装箱を提供する。【解決手段】  包装箱付き照明ランプ６００は、照明ランプ１と、照明ランプ１が収納される内部空間を形成する筒状の包囲部２２０と、包囲部２００の内周面部に一部が当接する複数の折り曲げ線２０３／２１３に囲まれた主板部２００／２１０と折り曲げ線２０３／２１３を介して主板部２００／２１０と連接する側板部２０１／２１１の少なくともいずれか一方の、複数の折り曲げ線２０３／２１３の交点Ｐを含む領域が切り欠かれ、折り曲げ線２０３／２１３に沿って折り曲げられて包囲部２２０の端部に配置され、内部空間に収納された照明ランプ１を保持する保持部２０／２１と、を有する包装箱と、を備える。【選択図】図２
2015067284.tif 000002
【特許請求の範囲】
【請求項１】
照明ランプと、
前記照明ランプを包囲するように、前記照明ランプが収納される内部空間を形成する筒状の包囲部と、
前記包囲部の内周面部に一部が当接する複数の折り曲げ線に囲まれた主板部と前記折り曲げ線を介して前記主板部と連接する側板部とを有し、前記主板部と前記側板部のいずれかの前記複数の折り曲げ線の交点を含む領域が切り欠かれ、
前記折り曲げ線に沿って折り曲げられて前記包囲部の端部に配置され、
前記内部空間に収納された前記照明ランプを保持する保持部と、
を有する包装箱と、
を備えたことを特徴とする包装箱付き照明ランプ。
【請求項２】
前記照明ランプは、カバー、口金、およびこれらと接続される筐体を有し、
前記保持部は、前記カバーを保持する第１保持部と前記口金または前記筐体を保持する第２保持部とを有し、
前記照明ランプは、前記第１保持部および前記第２保持部に保持されて、
前記第１保持部および前記第２保持部とともに、前記内部空間に収納されること、
を特徴とする請求項１に記載の包装箱付き照明ランプ。
【請求項３】
前記包装箱は、前記端部の開口部を閉塞する蓋部と底部とをさらに有し、
前記照明ランプは、前記包囲部、前記蓋部、および前記底部の内面部から離れて保持されていること、
を特徴とする請求項１、２のいずれかに記載の包装箱付き照明ランプ。
【請求項４】
前記保持部は、
前記側板部が前記折り曲げ線から同一の方向に折り曲げられて、前記側板部の山折り側の面を前記内周面部に当接させて前記内部空間に収納されること、
を特徴とする請求項１乃至３のいずれかに記載の包装箱付き照明ランプ。
【請求項５】
前記保持部は、
前記主板部と前記側板部の、少なくともどちらか一方の、前記交点を含む領域が切り欠かれるとともに、
前記交点から、切り欠かれる前記領域の周縁部まで距離は、
前記側板部が前記折り曲げ線から同一の方向に折り曲げられて、前記側板部の谷折り側に形成される皺部の高さより大きいこと、
を特徴とする請求項１乃至３のいずれかに記載の包装箱付き照明ランプ。
【請求項６】
前記包装箱は、
前記包囲部、前記蓋部、および前記底部が連接して外装箱を形成するとともに、
前記第１保持部および前記第２保持部は、前記外装箱と分離して形成されること、
を特徴とする請求項１、２のいずれかに記載の包装箱付き照明ランプ。
【請求項７】
前記包装箱は、
前記包囲部、前記蓋部、および前記底部が連接して前記外装箱を形成するとともに、
前記第１保持部と前記第２保持部の、少なくともいずれか一方が前記外装箱と連接して形成されること、
を特徴とする請求項１、２のいずれかに記載の包装箱付き照明ランプ。
【請求項８】
照明対象空間を照明する位置に設置され、商用電力に接続される照明器具本体と、
前記照明器具本体に取り付けられるランプソケットと、
前記ランプソケットに取り付けられるとともに前記照明器具本体からの商用電力が供給される、請求項１乃至７のいずれか一項に記載の包装箱付き照明ランプが有する照明ランプと、を備えたこと、
を特徴とする照明装置。
【請求項９】
照明ランプが収納される照明ランプ用の包装箱であって、
前記照明ランプを包囲するように、前記照明ランプが収納される内部空間を形成する筒状の包囲部と、
前記包囲部の開口部を閉塞する蓋部および底部と、
を有する外装箱と、
前記包囲部の内周面部に一部が当接する複数の折り曲げ線に囲まれた主板部と前記折り曲げ線を介して前記主板部と連接する側板部とを有し、前記主板部と前記側板部のいずれかの前記複数の折り曲げ線の交点を含む領域が切り欠かれ、
前記主板部を前記照明ランプに当接させて前記照明ランプを保持するとともに、前記折り曲げ線に沿って折り曲げられて前記照明ランプとともに前記内部空間に収納される保持部と、
を備えたことを特徴とする照明ランプ用の包装箱。
【発明の詳細な説明】
【技術分野】
【０００１】
本発明は、包装箱に収納された照明ランプに関する。
【背景技術】
【０００２】
従来、電球形蛍光ランプを包装する包装箱に関する技術がある（例えば、特許文献１参照）。
特許文献１には、直方体の長手方向の周囲の４面のうち互いに隣接する偶角部を除いた中間領域からなる４つの主面とこの４つの主面の端縁同士を連接する４つの側面から形成された略八角柱形状をなし、少なくとも一端に開口を有し、内部に収容部が形成されるように板状の包装材を折り曲げ、かつ接合して形成された本体部と、本体部の開口の一方の辺縁部から一体的に突出し、開口を閉塞するように折り曲げられた蓋部と、を具備した包装箱と、この包装箱の収容部内に係止され、中央部に挿通孔が形成されたホルダと、このホルダの挿通孔に一部が挿通されて収容部の略中央に中心軸が位置するように保持された管球と、を具備している包装体の先行技術が開示されている。
【０００３】
そして、特許文献１には、ホルダ１３は収容部の横断面形状と同じ八角形状の平板部１３ａ、この平板部１３ａの略中央に形成された挿通孔１３ｂおよび平板部１３ａの主面１ａ、１ｂ、２ａ、２ｂの内側に対向する各辺縁部から突出した舌片部１３ｃから形成されている。この４つの舌片部１３ｃは辺縁部に沿った折曲げ溝によって同一方向に９０°の角度で折り曲げられている、と記載されている。
【０００４】
さらに、特許文献１には、包装箱１０に振動や衝撃が加わったときに電球形蛍光ランプＬが収容部内で振動して破損することを防ぐために、ホルダ１３の挿通孔１３ｂには電球形蛍光ランプＬの口金部分Ｌ１が挿通されて電球形蛍光ランプＬの中心軸が収容部の略中央に位置するように保持されるとき、電球形蛍光ランプＬのグローブ部分Ｌ２は収容部の内面と当接しているのが望ましい、と記載されている。
【０００５】
ところで、地球環境保護の観点から、従来用いられてきた白熱電球や電球型蛍光ランプから、低消費電力で長寿命である発光ダイオード（ 以下、本明細書では「ＬＥＤ」と称する。） を光源として用いた電球形ＬＥＤランプの普及が加速している。
ここで、電球形ＬＥＤランプは、一般に同等の外径寸法を有する電球形蛍光ランプと比較して製品の質量が大きい。
【先行技術文献】
【特許文献】
【０００６】
【特許文献１】特開２００７−０３９１２６号公報
【発明の概要】
【発明が解決しようとする課題】
【０００７】
このため、特許文献１に記載された包装体を電球形ＬＥＤランプのような照明ランプを用いて構成した場合、すなわち、平板部１３ａの４つの側面に対向する各辺縁部から舌片部が突出していないホルダ１３を用いた場合、包装箱に振動や衝撃が加わった際に照明ランプ確実に保護することが難しい。
【０００８】
本発明は、上記を鑑みてなされたものであり、その目的は、組み立て時に変形や破損を生じにくい保持部を有する包装箱に収納されて、包装箱の内部に確実に保持されるとともに、輸送時などに外部から加えられる振動や衝撃が緩和される、包装箱付き照明ランプおよび包装箱を提供することである。
【課題を解決するための手段】
【０００９】
本発明の一の態様に係る包装箱付き照明ランプは、
照明ランプと、
照明ランプを包囲するように、照明ランプが収納される内部空間を形成する筒状の包囲部と、
包囲部の内周面部に当接する複数の折り曲げ線に囲まれた主板部と、
折り曲げ線を介して主板部と連接する側板部と、
主板部と側板部の少なくともどちらか一方に設けられ、複数の折り曲げ線の交点を含んだ一部の領域が切り欠かれた切り欠き部と、を有し、
折り曲げ線に沿って折り曲げられて包囲部の端部に配置され、
内部空間に収納された照明ランプを保持する、少なくとも１つの保持部と、
からなる包装箱と、
を備える。
【発明の効果】
【００１０】
本発明によれば、組み立て時に変形や破損を生じにくい保持部を有する包装箱に収納されて、包装箱の内部に確実に保持されるとともに、輸送時などに外部から加えられる振動や衝撃が緩和される、包装箱付き照明ランプおよび包装箱を提供することができる。
【図面の簡単な説明】
【００１１】
【図１】実施の形態１の包装箱付き照明ランプの主要構成を示す斜視図である。
【図２】実施の形態１の包装箱付き照明ランプの主要構成を組み立てた状態を示す断面図である。
【図３】実施の形態１の包装箱付き照明ランプの外装箱の展開図である。
【図４】実施の形態１の包装箱付き照明ランプの第１保持部の展開図である。
【図５】実施の形態１の包装箱付き照明ランプの第２保持部の展開図である。
【図６】図５におけるＡ部を拡大した図ある。
【図７】実施の形態１の包装箱付き照明ランプの第１保持部の組み立て平面図である。
【図８】実施の形態１の包装箱付き照明ランプの第１保持部の組み立て側面図である。
【図９】実施の形態１の包装箱付き照明ランプの第２保持部の組み立て平面図である。
【図１０】実施の形態１の包装箱付き照明ランプの第２保持部の組み立て側面図である。
【図１１】実施の形態１の包装箱付き照明ランプの組立て手順を示す図である。
【図１２】実施の形態１の包装箱付き照明ランプの第２保持部の側板部Ｂが折り曲げられて、折り曲げ部が形成される過程を示す部分拡大図である。
【図１３】実施の形態１の包装箱付き照明ランプの第２保持部の側板部Ｂが折り曲げられて、主板部Ｂに対して略９０度の角度となっている様子を示す部分拡大図である。
【図１４】図１３を主板部Ｂ側から見た部分拡大図である。
【図１５】実施の形態１の包装箱付き照明ランプの第１変形例を示す図である。
【図１６】実施の形態１の包装箱付き照明ランプの第２変形例を示す図である。
【図１７】実施の形態１の包装箱付き照明ランプの第３変形例を示す図である。
【図１８】実施の形態１の包装箱付き照明ランプの第４変形例を示す図である。
【図１９】実施の形態１の包装箱付き照明ランプの第５変形例を示す図である。
【図２０】実施の形態１の包装箱付き照明ランプの第６変形例を示す図である。
【図２１】実施の形態２の包装箱の主要構成を示す展開図である。
【図２２】実施の形態２の包装箱付き照明ランプの主要構成の組み立てた状態を示す断面図である。
【図２３】実施の形態２の包装箱付き照明ランプの組立て手順を示す図である。
【図２４】実施の形態３の包装箱の主要構成を示す展開図である。
【図２５】実施の形態３の包装箱付き照明ランプの主要構成の組み立てた状態を示す断面図である。
【図２６】実施の形態３の包装箱付き照明ランプの組立て手順を示す図である。
【図２７】実施の形態４の照明装置を示す図である。
【発明を実施するための形態】
【００１２】
本発明の実施の形態を、図面を参照しながら説明する。なお、以下に示す図面の形態によって本発明が限定されるものではない。
【００１３】
実施の形態１．
図１は、実施の形態１の包装箱付き照明ランプの主要構成を示す斜視図である。図２は、実施の形態１の包装箱付き照明ランプの主要構成を組み立てた状態を示す断面図である。図３は、実施の形態１の包装箱付き照明ランプの外装箱の展開図である。
【００１４】
図１に示すように、実施の形態１における包装箱付き照明ランプ６００は、照明ランプ１とこれを包装する包装箱２とから構成される。
【００１５】
（照明ランプ１について）
照明ランプ１は、平面視で略円形をなす回転対称の形状をしている。詳しくは、照明ランプ１の側面視において、一端側は、光源（図示せず）がカバー１０で覆われた略球状の形状をしており、略球状の最大径部から他端側の口金１２に向かって、徐々に外径が縮む形状をしている。
照明ランプ１は、光源（図示せず）として発光ダイオード（図示せず、以下、ＬＥＤ）素子を用いた電球形ＬＥＤランプであり、従来市販されているフィラメントを用いた電球や放電管（蛍光管）を用いた電球形蛍光ランプの形状と同じ形状あるいは略同じ形状をなしており、これらの代わりに用いることができる。
【００１６】
照明ランプ１は、カバー１０、口金１２、および、これらと接続される筐体１１によって外郭が形成されている。
カバー１０は、光源であるＬＥＤ素子（いずれも図示せず）から出射した光を透過する素材（例えばガラスや樹脂等）で構成され、ＬＥＤ素子の光の出射側を覆うように金属筐体１１０（後述）に取り付けられる。カバー１０を樹脂で構成した場合は、例えばポリカーボネートやアクリルなどが製品仕様に応じて用いられる。カバー１０は、ＬＥＤ素子から出射される光を透過させる機能と、光を拡散、集光、反射させる機能を併せ持つ。
本実施の形態におけるカバー１０は、１つの第１カバー（トップカバー）１００および４つの第２カバー（サイドカバー）１０１の５つの部品によって構成されているが、これに限定されるものでなく、１つの部品として構成されたものであってもよい。
【００１７】
筐体１１は、金属筐体１１０と、金属筐体１１０の内側に配設される樹脂筐体１１１とから構成されており、樹脂筐体１１０と金属筐体１１１とは、樹脂筐体１１０が有する嵌合爪（図示せず）と金属筐体１１１が有する嵌合溝（図示せず）とを嵌合させることによって接続されて固定される。
【００１８】
金属筐体１１０には、ＬＥＤ素子またはＬＥＤ素子が実装された基板（図示せず）が取り付けられ、ＬＥＤ素子の光の出射側を覆うようにカバー１０が取り付けられる。
金属筐体１１０は、高い熱伝導性能を有する、例えばアルミニウム等の金属材料を用いて形成されており、ＬＥＤ素子などから発せられる熱を照明ランプ１の外部へ効果的に伝達し、照明ランプ１の動作信頼性を保つ。
【００１９】
樹脂筐体１１１は、絶縁性を有する、例えばポリエチレンテレフタレート等の樹脂材料を用いて筒状に成形される。樹脂筐体１１１の外部には、一端に口金１２（後述）が接続されるとともに、外周部の一部と他端を覆うように金属筐体１１０が配設されている。樹脂筐体１１１の内部には、ＬＥＤ素子（図示せず）を点灯させる点灯装置（図示せず）が収納されている。換言すると、樹脂筐体１１１は、金属筐体１１０と点灯装置（図示せず）との間に配設されて、金属筐体１１０と点灯装置（図示せず）とを電気的に絶縁する機能を有する。
点灯装置（図示せず）は、口金１２を経由して商用電源である交流電力の供給を受けるとともに、光源（図示せず）であるＬＥＤ素子を点灯させる直流電力に変換してＬＥＤ素子に供給する。
【００２０】
口金１２は、樹脂筐体１１１の一端に取り付けられる。口金部１２は、照明器具７００（後述）が有するソケットに螺合されて、外部の商用電源などに電気接続されるとともに、樹脂筐体１１１に収納された点灯装置（図示せず）に電気接続され、点灯装置（図示せず）に交流電力を供給する。
【００２１】
なお、本実施の形態における照明ランプ１は、Ｅ１７タイプの口金を有するミニクリプトン形ＬＥＤ電球を例示して説明しているが、これに限定されるものではない。
また、照明ランプ１は、光源としてＬＥＤ素子以外の素子が用いられてもよい。光源として用いられるＬＥＤ素子以外の素子としては、例えば、レーザーダイオード、有機ＥＬなどがある。
【００２２】
（包装箱２について）
包装箱２は、板紙やダンボールなどの包装材を用いて形成され、照明ランプ１が収納される容器である。
図１乃至３に示すように、本実施の形態における包装箱２は、第１保持部（ホルダＡ）２０、第２保持部（ホルダＢ）２１、および、これらと照明ランプ１が収納される外装箱２２を有する。
【００２３】
外装箱２２は、第１側面部２２０ａ、第２側面部２２０ｂ、第３側面部２２０ｃ、第４側面部２２０ｄ、および、貼合翼部（グルーフラップ）２２０ｅが折り曲げ線を介して連接されてなる包囲部２２０を有している。
第１側面部２２０ａの、第２側面部２２０ｂと対向する辺縁領域には貼合面部２２０ｆが設けられている。貼合翼部（グルーフラップ）２２０ｅと貼合面部２２０ｆとが、接着剤や接着テープ（いずれも図示せず）などの接着部材を用いて貼合されることによって、包囲部２２０は筒状に形成される。
包囲部２２０の内部空間には、照明ランプ１と、照明ランプ１を保持する第１保持部（ホルダＡ）２０、第２保持部（ホルダＢ）２１とが収納される。
【００２４】
なお、本実施の形態において、筒状の包囲部２２０は４つの側面部が連接して四角形の開口形状を有するように形成されているが、これに限定されるものではない。
すなわち、包囲部２２０は２以上の複数の側面部が連接して杼形や多角形の開口形状を有するように形成されてもよく、あるいは、包囲部２２０は円筒や楕円筒状で円形や楕円形の開口形状を有するように形成されてもよい。
【００２５】
外装箱２２には、筒状の包囲部２２０の一端側と連接して、蓋部２２１、第１翼部（フラップＡ）２２３、第２翼部（フラップＢ）２２４、およびフック用孔形成部（ハンガー）２２６が形成される。
詳しくは、蓋部２２１は包囲部２２０の第２側面部２２０ｂと折り曲げ線を介して連接し、第１翼部（フラップＡ）２２３は包囲部２２０の第３側面部２２０ｃと折り曲げ線を介して連接し、第２翼部（フラップＢ）２２４は包囲部２２０の第１側面部２２０ａと折り曲げ線を介して連接し、フック用孔形成部（ハンガー）２２６は包囲部２２０の第４側面部２２０ｂと折り曲げ線を介して連接している。
蓋部２２１には、包囲部２２０と反対側の辺縁部と折り曲げ線を介して連接して、差し込み翼部（差し込みフラップ）２２５が形成される。
図３に示すように、蓋部２２１と差し込み翼部（差し込みフラップ）２２５との間の辺縁領域には、切り込み部２２８が形成される。
【００２６】
第１翼部（フラップＡ）２２３と第２翼部（フラップＢ）２２４とは、筒状の包囲部２２０の一端側の開口部に向かって折り曲げられる。そして、折り曲げられた第１翼部（フラップＡ）２２３と第２翼部（フラップＢ）２２４とに重なるように、蓋部２２１が筒状の包囲部２２０の一端側の開口部に向かって折り曲げられ、差し込み翼部（差し込みフラップ）２２５を包囲部２２０の内部空間へ折り込んで差し込むことによって、筒状の包囲部２２０の一端側の開口部が閉塞される。
差し込み翼部（差し込みフラップ）２２５が包囲部２２０の内部空間へ差し込まれると、差し込み翼部（差し込みフラップ）２２５の切り込み部２２８側の辺縁部が、第１翼部（フラップＡ）２２３と第２翼部（フラップＢ）２２４とに引っ掛かり、差し込み翼部（差し込みフラップ）２２５が抜けにくくなる。すなわち、筒状の包囲部２２０の一端側の開口部が閉塞された状態を確実に維持できるので、輸送時などに照明ランプ１が外装箱２２の外側へ飛び出すことがない。
【００２７】
フック用孔形成部（ハンガー）２２６には、フック用孔形成部（ハンガー）２２６に設けられた折り曲げ線から等距離の位置に２つのフック用孔２２７が形成されている。
フック用孔形成部（ハンガー）２２６が折り曲げられると、２つのフック用孔２２７は、重なり貫通する。
フック用孔形成部（ハンガー）２２６は、２つのフック用孔２２７が貫通するように折り曲げられ、筒状の包囲部２２０の一端側の開口部が閉塞される前に、包囲部２２０と反対側の辺縁部が包囲部２２０の内部空間へ差し込まれる。
貫通したフック用孔２２７は、例えば、包装箱付き照明ランプ６００を店舗などに陳列する際に、陳列棚が備えるフックを挿通するために用いられる。
【００２８】
このように、包囲部２２０の一端側の開口部は、蓋部２２１、第１翼部（フラップＡ）２２３、第２翼部（フラップＢ）２２４によって閉塞され、閉塞された状態が維持される。
なお、本実施の形態において、筒状の包囲部２２０の一端側の開口部を閉塞する構成として、差し込み式（サック式、またはキャラメル式とも呼ぶ）を基本とする態様を例示したが、これに限定されるものではない。
【００２９】
外装箱２２には、筒状の包囲部２２０の他端側と連接して、底部２２２を構成する底翼部（底フラップＡ）２２２ａと底蓋部２２２ｂとが１対ずつ形成される。また、底翼部（底フラップＡ）２２２ａの少なくとも一部の領域と貼合される底蓋貼合部２２２ｃが、底蓋部２２２ｂと連接して形成される。
詳しくは、底翼部（底フラップＡ）２２２ａは、包囲部２２０の第１側面部２２０ａおよび第３側面部２２０ｃと折り曲げ線を介して連接し、底蓋部２２２ｂは、包囲部２２０の第２側面部２２０ｂおよび第４側面部２２０ｄと折り曲げ線を介して連接している。
【００３０】
外装箱２２は、貼合翼部（グルーフラップ）２２０ｅと貼合面部２２０ｆとが、接着剤や接着テープ（いずれも図示せず）などの接着部材を用いて貼合される。そして、底翼部（底フラップＡ）２２２ａの少なくとも一部の領域と底蓋貼合部２２２ｃとが、接着剤や接着テープ（いずれも図示せず）などの接着部材を用いて貼合される。
外装箱２２は、畳まれた状態から組み上げると、底部２２２を底面にした有底筒状の形状となる。このとき、１対の底蓋部２２２ｂは、筒状の包囲部２２０の他端側の開口部に向かって折り曲げられ、先端部が互いに係合する。
【００３１】
底部２２２は、底翼部（底フラップＡ）２２２ａの少なくとも一部の領域と底蓋貼合部２２２ｃとが貼合されることによって強度が増す。すなわち、外装箱２２は、耐荷重性能が増すため、照明ランプ１として例示した比較的質量の大きい電球形ＬＥＤランプなどの包装に好適である。
なお、本実施の形態において、筒状の包囲部２２０の他端側の開口部を閉塞する構成として、底ロック式（ワンタッチ式とも呼ぶ）を基本とする態様を例示したが、これに限定されるものではない。
【００３２】
図１、２に示すように、包囲部２２０の内部空間には、照明ランプ１と、照明ランプ１を保持する第１保持部（ホルダＡ）２０、第２保持部（ホルダＢ）２１とが収納される。
詳しくは、照明ランプ１のカバー１０側に第１保持部（ホルダＡ）２０が、照明ランプ１の口金１２側に第２保持部（ホルダＢ）２１が配設され、照明ランプ１を挟持する。この状態で、蓋部２２０と底部２２２とによって開口部が閉塞された包囲部２２０の内部空間に、照明ランプ１、第１保持部（ホルダＡ）２０、および第２保持部（ホルダＢ）２１が収納される。
【００３３】
換言すると、第１保持部（ホルダＡ）２０は、折り曲げられた４つの側板部Ａ（２０１）の折り曲げ線と対向する辺縁部が、蓋部２２１、第１翼部（フラップＡ）２２３、第２翼部（フラップＢ）２２４のいずれかに当接するように、筒状の包囲部２２０の蓋部２２１側の端部に配設される。ここで、蓋部２２１側の端部は、蓋部２２１を基点とした照明ランプ１の最大径部までの任意の領域である。
そして、第２保持部（ホルダＢ）２１は、折り曲げられた４つの側板部Ｂ（２１１）の折り曲げ線と対向する辺縁部が、底部２２２に当接するように、筒状の包囲部２２０の底部２２２側の端部に配設される。ここで、底部２２２側の端部は、底部２２２を基点とした照明ランプ１の最大径部までの任意の領域である。
【００３４】
本実施の形態において、照明ランプ１は、包囲部２２０の内部空間で、第１保持部（ホルダＡ）２０の主板部Ａ（２００）に第１カバー（トップカバー）１００が当接し、第２保持部（ホルダＢ）２０の主板部Ｂ（２１０）に樹脂ケース１１１の口金１２側端部が当接して、保持される。
【００３５】
包囲部２２０の内部空間で、照明ランプ１が第１保持部（ホルダＡ）２０と第２保持部（ホルダＢ）２１とに挟持された状態で、トップカバー１００が挿通孔Ａ（２０２）によって保持され、口金１２または樹脂筐体１１１の錘状部が挿通孔Ｂ（２１２）によって保持される。
そして、包囲部２２０の内部空間において、照明ランプ１は、照明ランプ１の外周面部が、外装箱２２の内面部と当接しない位置に保持される。
ここで、照明ランプ１の外周面部は、外郭を構成する、カバー１０、筐体１１、口金１２の外周面部である。
また、外装箱２２の内面部は、包囲部２２０、底部２２２、蓋部２２１、第１翼部（フラップＡ）２２３、第２翼部（フラップＢ）２２４、および包囲部２２０の内部空間へ差し込まれたフック用孔形成部（ハンガー）２２６の、包囲部２２０の内部空間側の各面部である。
【００３６】
次に、図４乃至６を参照して、本実施の形態における２つの保持部について詳述する。
図４は、実施の形態１の包装箱付き照明ランプの第１保持部（ホルダＡ）２０の展開図である。図５は、実施の形態１の包装箱付き照明ランプの第２保持部（ホルダＢ）２１の展開図である。図６は、図５におけるＡ部を拡大した図ある。
図７は、実施の形態１の包装箱付き照明ランプの第１保持部（ホルダＡ）２０の組み立て平面図である。図８は、実施の形態１の包装箱付き照明ランプの第１保持部（ホルダＡ）２０の組み立て側面図（第３側板部２０１ｃ側から見た側面図）である。
図９は、実施の形態１の包装箱付き照明ランプの第２保持部（ホルダＢ）２１の組み立て平面図である。図１０は、第２保持部（ホルダＢ）２１の組み立て側面図（第３側板部２１１ｃ側から見た側面図）である。
【００３７】
図４に示すように、第１保持部（ホルダＡ）２０は、主板部Ａ（２００）と側板部Ａ（２０１）を有する。
主板部Ａ（２００）は、外装箱２２の筒状の包囲部２２０の４つの側面部（２２０ａ〜２２０ｄ）が連接して形成される開口形状と同じ、四角形の形状をしている。
四角形の主板部Ａ（２２０）の各辺から外側に、主板部Ａ（２２０）と連接するように４つの側板部２０１（２０１ａ〜２０１ｄ）形成されている。
主板部Ａ（２００）の４つの辺には、それぞれ折り曲げ線Ａ（２０３）が設けられる。詳しくは、主板部Ａ（２００）と第１側板部２０１ａとの間に第１折り曲げ線２０３ａが、主板部Ａ（２００）と第２側板部２０１ｂとの間に第２折り曲げ線２０３ｂが、主板部Ａ（２００）と第３側板部２０１ｃとの間に第３折り曲げ線２０３ｃが、主板部Ａ（２２０）と第４側板部２０１ｄとの間に第４折り曲げ線２０３ｄが、それぞれ設けられる。
【００３８】
図４において、主板部Ａ（２００）の横寸法はＸａで縦寸法はＹａである。主板部Ａ（２００）の横寸法Ｘａおよび縦寸法Ｙａは、外装箱２２の筒状の包囲部２２０の４つの側面部が連接して形成する開口部の内寸法と略同じ寸法に設定される。
なお、外装箱２２の筒状の包囲部２２０の４つの側面部が連接して形成する開口形状が正方形の場合は、主板部Ａ（２００）の形状も正方形とし、横寸法はＸａと縦寸法はＹａとは同じ寸法に設定される。
【００３９】
主板部Ａ（２００）の略中央部には、挿通孔Ａ（２０２）が形成される。
本実施の形態における挿通孔Ａ（２０２）の形状は、照明ランプ１の外郭を構成するトップカバー１００の部分を保持できるように、直径Ｒａの円形の形状をしている。
直径Ｒａは、挿通孔Ａ（２０２）に対するトップカバー１００の挿通量を勘案して、トップカバー１００の最大径よりも小さい値に設定される。
つまり、直径Ｒａは後述する側板部Ａ（２０１）の寸法とともに、包囲部２２０の内部空間に保持されるトップカバー１００の筒方向の位置を決定する要素となる。
挿通孔Ａ（２０２）は、挿通孔Ａ（２０２）に挿通されて主板部Ａ（２００）に当接する、照明ランプ１の断面外周形状と略同じ形状で形成されていればよく、円形に限定されるものではない。
【００４０】
図４において、第１側板部２０１ａ、第２側板部２０１ｂ、第３側板部２０１ｃ、および第１側板部２０１ｄは、それぞれ第１乃至４折り曲げ線（２０３ａ〜２０３ｄ）を介して主板部Ａ（２００）と連接し、主板部Ａ（２００）の外側に向かって突設されている。
第１側板部２０１ａおよび第３側板部２０１ｃの幅寸法は、主板部Ａ（２００）の横寸法と同じＸａである。主板部Ａ（２００）の外側に向かって突設する長さ寸法は、第１折り曲げ線２０３ａまたは第３折り曲げ線２０３ｃを基準にして、それぞれＬｆｙａである。
第２側板部２０１ｂおよび第４側板部２０１ｄの幅寸法は、主板部Ａ（２００）の縦寸法と同じＹａである。主板部Ａ（２００）の外側に向かって突設する長さ寸法は、第２折り曲げ線２０３ｂまたは第４折り曲げ線２０３ｄを基準にして、それぞれＬｆｘａである。
【００４１】
第１保持部（ホルダＡ）２０は、第１乃至４側板部（２０１ａ〜２０１ｄ）が第１乃至４折り曲げ線（２０３ａ〜２０３ｄ）によって折り曲げられて、外装箱２２の蓋部２２１側に配設される。このとき、折り曲げられた第１乃至４側板部（２０１ａ〜２０１ｄ）の、それぞれ第１乃至４折り曲げ線（２０３ａ〜２０３ｄ）と対向する辺縁部を蓋部２２１側に向けて配設される。
第１側板部２０１ａおよび第３側板部２０１ｃの長さ寸法Ｌｆｙａ、または、第２側板部２０１ｂおよび第４側板部２０１ｄの長さ寸法Ｌｆｘａのいずれかと、上述した挿通孔Ａ（２０２）の直径Ｒａとによって、包囲部２２０の内部空間に保持されるトップカバー１００の筒方向の位置が決定される。
【００４２】
そして、第１保持部（ホルダＡ）２０の、隣接する２つの折り曲げ線Ａが交差する４つの領域に、隣接する２つの折り曲げ線Ａの交点を含むように、それぞれ円弧状に切り欠かれた切り欠き部Ａ（２０４）が形成される。
本実施の形態において、第１保持部（ホルダＡ）２０に形成される４つの切り欠き部Ａ（２０４）は、全て同じ形状で形成されている。
なお、切り欠き部Ａ（２０４）の詳細は後段で詳述する。
【００４３】
図５に示すように、第２保持部（ホルダＢ）２１は、主板部Ｂ（２１０）と側板部Ｂ（２１１）を有する。
主板部Ｂ（２１０）は、外装箱２２の筒状の包囲部２２０の４つの側面部が連接して形成する開口形状と同じ、四角形の形状をしている。
四角形の主板部Ｂ（２１０）の各辺から外側に、主板部Ｂ（２１０）と連接するように４つの側板部２１１（２１１ａ〜２１１ｄ）形成されている。
主板部Ｂ（２１０）の４つの辺にはそれぞれ折り曲げ線Ｂ（２１３）が設けられる。詳しくは、主板部Ｂ（２１０）と第１側板部２１１ａとの間に第１折り曲げ線２１３ａが、主板部Ｂ（２１０）と第２側板部２１１ｂとの間に第２折り曲げ線２１３ｂが、主板部Ｂ（２１０）と第３側板部２１１ｃとの間に第３折り曲げ線２１３ｃが、主板部Ｂ（２１０）と第４側板部２１１ｄとの間に第４折り曲げ線２１３ｄが、それぞれ設けられる。
【００４４】
図５において、主板部Ｂ（２１０）の横寸法はＸｂで縦寸法はＹｂである。主板部Ｂ（２１０）の横寸法Ｘｂおよび縦寸法Ｙｂは、外装箱２２の筒状の包囲部２２０の４つの側面部が連接して形成する開口部の内寸法と略同じ寸法に設定される。
なお、外装箱２２の筒状の包囲部２２０の４つの側面部が連接して形成する開口形状が正方形の場合は、主板部Ｂ（２１０）の形状も正方形とし、横寸法はＸｂと縦寸法はＹｂとは同じ寸法に設定される。
【００４５】
主板部Ｂ（２１０）の略中央部には、挿通孔Ｂ（２１２）が形成される。
本実施の形態における挿通孔Ｂ（２１２）の形状は、照明ランプ１の外郭を形成する樹脂ケース１１１の口金１２側端部を保持できるように、直径Ｒｂの円形の形状をしている。
挿通孔Ｂ（２１２）は、挿通孔Ｂ（２１２）に挿通されて主板部Ｂ（２１０）に当接する、照明ランプ１の断面外周形状と略同じ形状で形成されていればよく、円形に限定されるものではない。
【００４６】
図５において、第１側板部２１１ａ、第２側板部２１１ｂ、第３側板部２１１ｃ、および第４側板部２１１ｄは、それぞれ第１乃至４折り曲げ線（２１３ａ〜２１３ｄ）を介して主板部Ｂ（２１０）と連接し、主板部Ｂ（２１０）の外側に向かって突設されている。
第１側板部２１１ａおよび第３側板部２１１ｃの幅寸法は、主板部Ｂ（２１０）の横寸法と同じＸｂである。主板部Ｂ（２１０）の外側に向かって突設する長さ寸法は、第１折り曲げ線２１３ａまたは第３折り曲げ線２１３ｃを基準にして、それぞれＬｆｙｂである。
第２側板部２１１ｂおよび第４側板部２１１ｄの幅寸法は、主板部Ｂ（２１０）の縦寸法と同じＹｂである。主板部Ｂ（２１０）の外側に向かって突設する長さ寸法は、第２折り曲げ線２１３ｂまたは第４折り曲げ線２１３ｄを基準にして、それぞれＬｆｘｂである。
【００４７】
第２保持部（ホルダＢ）２１は、第１乃至４側板部（２１１ａ〜２１１ｄ）が第１乃至４折り曲げ線（２１３ａ〜２１３ｄ）によって折り曲げられて、外装箱２２の底部２２２側に配設される。このとき、折り曲げられた第１乃至４側板部（２１１ａ〜２１１ｄ）の、それぞれ第１乃至４折り曲げ線（２０３ａ〜２０３ｄ）と対向する辺縁部を底部２２２側に向けて配設される。
第１側板部２１１ａおよび第３側板部２１１ｃの長さ寸法Ｌｆｙｂ、または、第２側板部２１１ｂおよび第４側板部２１１ｄの長さ寸法Ｌｆｘｂのいずれかによって、包囲部２２０の内部空間に保持される樹脂ケース１１１の口金１２側端部の筒方向の位置が決定される。
【００４８】
そして、第２保持部（ホルダＢ）２１の、隣接する２つの折り曲げ線Ｂが交差する４つの領域には、隣接する２つの折り曲げ線Ｂの交点を含むように、それぞれ円弧状に切り欠かれた切り欠き部Ｂ（２１４）が形成される。
本実施の形態において、第２保持部（ホルダＢ）２１に形成される４つの切り欠き部Ｂ（２１４）は、全て同じ形状で形成されている。
また、上述した第１保持部（ホルダＡ）２０に形成される４つの切り欠き部Ａ（２０４）は、第２保持部（ホルダＢ）２１に形成される４つの切り欠き部Ｂ（２１４）と同じ形状で形成されている。
【００４９】
図６を参照して、切り欠き部２１４について説明する。
図６は、図５におけるＡ部を拡大した図であり、切り欠き部Ｂ（２１４）を説明するものである。
図６に示すように、第２保持部（ホルダＢ）２１の第２折り曲げ線２１３ｂと第３折り曲げ線２１３ｃとは、交点Ｐで約９０度の角度で交差している。切り欠き部Ｂ（２１４）は、この交点Ｐを中心とした円弧に沿って切り欠かれた領域である。
すなわち、切り欠き部Ｂ（２１４）は、交点Ｐを含むように切り欠かれた主板部Ｂ（２１０）の扇状の領域、交点Ｐを含むように切り欠かれた第２側板部２１１ｂの扇状の領域、および交点Ｐを含むように切り欠かれた第３側板部２１１ｃの扇状の領域が連接して形成されている。
【００５０】
切り欠き部Ｂ（２１４）の半径は、折り曲げたときに形成されるしわ部２１５ｃ（後述）の高さ寸法Ｌｃより大きな寸法に設定される。この条件を満たした上で、切り欠き部Ｂ（２１４）の半径は、第２保持部（ホルダＢ）２１の強度を維持するために、切り欠き部Ｂ（２１４）の半径は極力小さな値とすることが好ましい。
【００５１】
なお、第１保持部（ホルダＡ）２０における主板部Ａ（２００）の横寸法をＸａ、縦寸法をＹａ、第２保持部（ホルダＢ）２１における主板部Ｂ（２１０）の横寸法をＸｂ、縦寸法をＹｂと、それぞれ別々の寸法に設定するものとして説明したが、Ｘａ＝Ｘｂ、Ｙａ＝Ｙｂとして、第１保持部（ホルダＡ）２０における主板部Ａ（２００）と、第２保持部（ホルダＢ）２１における主板部Ｂ（２１０）とは、横寸法と縦寸法を同一に設定してもよい。
【００５２】
図７は、第１保持部（ホルダＡ）２０を組み立てて、主板部Ａ（２００）側から見た平面図であり、図８は、第１保持部（ホルダＡ）２０を組み立てて、第３側板部２０１ｃ側から見た側面図である。
図７および図８に示すように、第１乃至４側板部（２０１ａ〜２０１ｄ）は、主板部Ａ（２００）に対して略９０度の角度となるように、第１乃至４折り曲げ線（２０３ａ〜２０３ｄ）から同一の方向に折り曲げられる。
第１乃至４折り曲げ線（２０３ａ〜２０３ｄ）から同一の方向に折り曲げられた、第１乃至４折り曲げ線（２０３ａ〜２０３ｄ）を含む第１乃至４側板部（２０１ａ〜２０１ｄ）の山折り側の各面（４つの面）は、外装箱２２を形成する筒状の包囲部２２０の内面部に当接する。
【００５３】
図９は、第２保持部（ホルダＢ）２１を組み立てて、主板部Ｂ（２１０）側から見た平面図であり、図１０は、第２保持部（ホルダＢ）２１を組み立てて、第３側板部２１１ｃ側から見た側面図である。
図９および図１０に示すように、第１乃至４側板部（２１１ａ〜２１１ｄ）は、主板部Ｂ（２１０）に対して略９０度の角度となるように、第１乃至４折り曲げ線（２１３ａ〜２１３ｄ）から同一の方向に折り曲げられる。
第１乃至４折り曲げ線（２１３ａ〜２１３ｄ）から同一の方向に折り曲げられた、第１乃至４折り曲げ線（２１３ａ〜２１３ｄ）を含む第１乃至４側板部（２１１ａ〜２１１ｄ）の山折り側の各面（４つの面）は、外装箱２２を形成する筒状の包囲部２２０の内面部に当接する。
【００５４】
このように、第１保持部（ホルダＡ）２０および第２保持部（ホルダＢ）２１の、折り曲げられた側板部Ａ（２０１）および側板部Ｂ（２１１）の山折り側の各面（４つの面）と、外装箱２２を形成する筒状の包囲部２２０の内面部とは当接しているので、面どうしの摩擦力が発生する。このため、第１保持部（ホルダＡ）２０および第２保持部（ホルダＢ）２１は、筒状の包囲部２２０の内部空間における筒方向の移動が抑制される。
すなわち、第１保持部（ホルダＡ）２０、第２保持部（ホルダＢ）２１、および、第１保持部（ホルダＡ）２０と第２保持部（ホルダＢ）２１とに挟持された照明ランプ１は、外装箱２２の内部空間に安定的に保持される。
【００５５】
面どうしの摩擦力は、主板部Ａ（２００）の横寸法Ｘａと縦寸法Ｙａ、および主板部Ｂ（２１０）の横寸法Ｘｂおよび縦寸法Ｙｂに依存する。これらの寸法を大きく設定すれば、包囲部２２０の内面部に対する押圧力が増し、第１保持部（ホルダＡ）２０と第２保持部（ホルダＢ）２１とに挟持された照明ランプ１は、外装箱２２の内部空間に安定的に保持される。
【００５６】
なお、これらの寸法は、照明ランプ１の質量、折り曲げられた側板部Ａ（２０１）および側板部Ｂ（２１１）の山折り側の各面（４つの面）と包囲部２２０の内面部とが当接する面積や、外装箱、第１保持部（ホルダＡ）２０および第２保持部（ホルダＢ）２１に用いられる、板紙やダンボールなどの包装材の表面粗さなどを考慮して、外装箱２２の筒状の包囲部２２０の４つの側面部が連接して形成する開口部の内寸法と略同じ寸法に設定される。
【００５７】
（組立て手順について）
次に、図３乃至７を参照して、実施の形態１の包装箱付き照明ランプの組立て手順について説明する。
なお、実施の形態１の包装箱付き照明ランプの組立て手順を示す図である。
図７に示すように、本実施の形態における包装箱付き照明ランプ６００の組立て手順の概略は、外装箱製造工程Ｓ１、第１保持部製造工程Ｓ２、第２保持部製造工程Ｓ３、照明ランプ製造工程Ｓ４、および、照明ランプ包装工程Ｓ５の工程からなる。
【００５８】
詳しくは、外装箱製造工程Ｓ１は、外装箱印刷工程Ｓ１０、外装箱断裁工程Ｓ１１、外装箱折り曲げ線形成工程Ｓ１２、外装箱折り曲げ工程Ｓ１３、外装箱貼合工程Ｓ１４、および、外装箱折り畳み工程Ｓ１５の工程を有する。
以下、外装箱製造工程Ｓ１の各工程について、順を追って説明する。
外装箱２２は、基材となる板紙やダンボールなどの包装材の一面に、オフセット印刷機などを用いて、商品名や商品外観などの情報が印刷される（外装箱印刷工程Ｓ１０）。印刷された一面には、適宜プレスコートやフィルムコートなどの特殊な表面処理が施されてもよい。
なお、外装箱印刷工程Ｓ１０は、印刷されない包装材の一面に、商品名や商品外観などの情報が印刷された化粧紙を貼合する方法でもよい。
【００５９】
一面に印刷された包装材は、組立てられる外装箱２２の形状に合せて断裁される（外装箱断裁工程Ｓ１１）。本実施の形態において、断裁される形状は図３の展開図に示す実線に沿った形状である。包装材の断裁は、木型などの抜き型、プラテン型打抜き機、プラテンダイカッタ、ロータリーダイカッタなどを用いて行われる。
【００６０】
断裁された包装材には、包装材を箱型に折り曲げるための折り曲げ線（罫線ともいう）が形成される（外装箱折り曲げ線形成工程Ｓ１２）。本実施の形態において、折り曲げ線は図３の展開図に示す破線に沿って形成される。本実施の形態における折り曲げ線は、外装箱２２の強度が低下しにくい、切れ目がない「押罫」によって形成される。「押罫」は専用の押型を用いて成形される。
なお、折り曲げ線は、外装箱２２の強度や外観上に影響がない場合は、これに限らず「切罫」、「ミシン罫」、「リード罫」などによって形成されてもよい。「切罫」、「ミシン罫」、「リード罫」は、「押罫」と比較して折り曲げやすいという特徴を有しており、包装箱２２の組立て工数が軽減できる。また、外装箱断裁工程Ｓ１１で形成することもできるため、外装箱製造工程の簡素化にも繋がる。
【００６１】
折り曲げ線が形成された包装材は、折り曲げ線に沿って所定の折り曲げ方向に折り曲げられ（外装箱折り曲げ工程Ｓ１３）、貼合翼部（グルーフラップ）２２０ｅと貼合面部２２０ｆとが、接着剤や接着テープ（いずれも図示せず）などの接着部材を用いて貼合されるとともに、底翼部（底フラップＡ）２２２ａの少なくとも一部の領域と底蓋貼合部２２２ｃとが、接着剤や接着テープ（いずれも図示せず）などの接着部材を用いて貼合され（外装箱貼合工程Ｓ１４）、最後に折り畳まれて（外装箱折り畳み工程Ｓ１５）、照明ランプ包装工程Ｓ５へ供給される。
なお、外装箱折り曲げ工程Ｓ１３、外装箱貼合工程Ｓ１４、および、外装箱折り畳み工程Ｓ１５の各工程は、製箱機などを用いた一連の工程としてもよい。
【００６２】
第１保持部製造工程Ｓ２は、第１保持部印刷工程Ｓ２０、第１保持部断裁工程Ｓ２１、および、第１保持部折り曲げ線形成工程Ｓ２２を有する。以下、第１保持部製造工程Ｓ２の各工程について説明する。
第１保持部（ホルダＡ）２０は、基材となる板紙やダンボールなどの包装材の一面に、オフセット印刷機などを用いて、組み立て手順などが印刷される（第１保持部印刷工程Ｓ２０）。印刷された一面には、適宜プレスコートやフィルムコートなどの特殊な表面処理が施されてもよい。
一面に印刷された包装材は、図４の展開図に示す実線に沿った形状に合せて断裁される（第１保持部断裁工程Ｓ２１）。包装材の断裁は、木型などの抜き型、プラテン型打抜き機、プラテンダイカッタ、ロータリーダイカッタなどを用いて行われる。
ここで、実線に沿った形状は、第１乃至４側板部（２０１ａ〜２０１ｄ）および４つの切り欠き部Ａ（２０４）を含む形状である。
【００６３】
断裁された包装材には、包装材を折り曲げるための折り曲げ線（罫線ともいう）が形成され（第１保持部折り曲げ線形成工程Ｓ２２）、照明ランプ包装工程Ｓ５へ供給される。本実施の形態において、折り曲げ線Ａは図４の展開図に示す破線に沿って形成される。本実施の形態における折り曲げ線Ａは、第１保持部（ホルダＡ）２０の強度が低下しにくい、切れ目がない「押罫」によって形成される。「押罫」は専用の押型を用いて成形される。
なお、折り曲げ線Ａは、第１保持部（ホルダＡ）２０の強度に影響がない場合は、これに限らず「切罫」、「ミシン罫」、「リード罫」などによって形成されてもよい。「切罫」、「ミシン罫」、「リード罫」は、「押罫」と比較して折り曲げやすいという特徴を有しており、第１保持部（ホルダＡ）２０の組立て（折り曲げ）工数が軽減できる。
【００６４】
第２保持部製造工程Ｓ３は、第２保持部印刷工程Ｓ３０、第２保持部断裁工程Ｓ３１、および、第２保持部折り曲げ線形成工程Ｓ３２を有する。第２保持部製造工程Ｓ３の各工程は、第１保持部製造工程Ｓ２の各工程と同様の工程であるので説明を省略する。
なお、第２保持部断裁工程Ｓ３１において、断裁される包装材の実線に沿った形状は、第１乃至４側板部（２１１ａ〜２１１ｄ）および４つの切り欠き部Ｂ（２１４）を含む形状である。
【００６５】
照明ランプ製造工程Ｓ４は、照明ランプ１が組み立てられる工程である。
詳述はしないが、基板にＬＥＤ素子が実装されてＬＥＤ基板（図示せず）が製造される工程、基板に複数の電子部品（図示せず）が実装されて点灯装置（図示せず）が製造される工程、点灯装置（図示せず）が筐体１１の内部に収容されるとともに、ＬＥＤ基板（図示せず）が筐体１１の外面部に取り付けられる工程、電気的に接続（配線）される工程、および、カバー１０、口金１２、および、これらを連接する筐体１１によって外郭が形成される工程などが含まれる。
【００６６】
照明ランプ包装工程Ｓ５は、外装箱２２の内部空間に、第１保持部（ホルダＡ）２０と第２保持部（ホルダＢ）２１とに挟持された状態で、照明ランプ１を保持する工程である。
詳しくは、照明ランプ包装工程Ｓ５は、外装箱組み上げ工程Ｓ５０、第２保持部挿入工程Ｓ５１、照明ランプ挿入工程Ｓ５２、第１保持部挿入工程Ｓ５３、外装箱閉塞工程Ｓ５４、第１保持部折り曲げ工程Ｓ５５、第２保持部折り曲げ工程Ｓ５６の工程を有する。以下、照明ランプ包装工程Ｓ５の各工程について、順を追って説明する。
外装箱製造工程Ｓ１において折り畳まれた（外装箱折り畳み工程Ｓ１５）外装箱２２は、第１保持部（ホルダＡ）２０、第２保持部（ホルダＢ）２１、および、照明ランプ１が挿入される内部空間を形成するように、有底筒状の形状に組み上げられる（外装箱組み上げ工程Ｓ５０）。
本実施の形態において、底部２２２は、底ロック式（ワンタッチ式とも呼ぶ）の構成としているため、外装箱２２を畳まれた状態から組み上げると、おのずと底部２２２が形成されるので、外装箱２２の組み上げに要する工程が簡素化できる。
【００６７】
次に、第１保持部折り曲げ工程Ｓ５５、および、第２保持部折り曲げ工程Ｓ５６について説明する。
第１保持部製造工程Ｓ２において製造された第１保持部（ホルダＡ）２０は、第１乃至４側板部（２０１ａ〜２０１ｄ）が、主板部Ａ（２００）に対して略９０度の角度となるように、第１乃至４折り曲げ線（２０３ａ〜２０３ｄ）から同一の方向に折り曲げられる（第１保持部折り曲げ工程Ｓ５５）。
第２保持部製造工程Ｓ３において製造された第２保持部（ホルダＢ）２１は、第１乃至４側板部（２１１ａ〜２１１ｄ）が、主板部Ｂ（２１０）に対して略９０度の角度となるように、第１乃至４折り曲げ線（２１３ａ〜２１３ｄ）から同一の方向に折り曲げられる（第２保持部折り曲げ工程Ｓ５６）。
ここで、同一の方向とは、折り曲げ線（「押罫」）の形状に基づいて決定される、「山折り」と「谷折り」の向きをさす。
【００６８】
外装箱組み上げ工程Ｓ５０において有底筒状の形状に組み上げられた外装箱２２の内部空間に、第２保持部（ホルダＢ）２１が挿入される（第２保持部挿入工程Ｓ５１）。
第２保持部（ホルダＢ）２１は、折り曲げられた第１乃至４側板部（２１１ａ〜２１１ｄ）の、第１乃至４折り曲げ線（２１３ａ〜２１３ｄ）と対向する辺縁部を底部２２２側に向けて、第１乃至４側板部（２０１ａ〜２０１ｄ）の山折り側の各面（４つの面）を、外装箱２２を形成する筒状の包囲部２２０の内面部に当接するように挿入される。
第２保持部（ホルダＢ）２１は、折り曲げられた第１乃至４側板部（２１１ａ〜２１１ｄ）の、それぞれ第１乃至４折り曲げ線（２１３ａ〜２１３ｄ）と対向する辺縁部が、底部２２２に当接する位置まで挿入されて配設される。
【００６９】
ここで、第２保持部（ホルダＢ）２１の、隣接する２つの折り曲げ線Ｂが交差する４つの領域には、隣接する２つの折り曲げ線Ｂの交点を含むように、それぞれ円弧状に切り欠かれた切り欠き部Ｂ（２１４）が形成されているので、第２保持部（ホルダＢ）２１を外装箱２２に挿入する際に、外装箱２２を形成する筒状の包囲部２２０の内面角部に折り曲げ線Ｂの交点が当接しない。このため、第２保持部（ホルダＢ）２１に変形や破損といったダメージを与えることがなく、第２保持部（ホルダＢ）２１を外装箱２２にスムーズに挿入することができる。
【００７０】
また、第２保持部（ホルダＢ）２１の、隣接する２つの折り曲げ線Ｂが交差する４つの領域には、隣接する２つの折り曲げ線Ｂの交点を含むように、それぞれ円弧状に切り欠かれた切り欠き部Ｂ（２１４）が形成されているので、折り曲げ線Ｂの交点が外装箱２２の筒状の包囲部２２０の一端側の開口部に引っ掛かることがなく、外装箱２２に変形や破損といったダメージを与えることがない。
【００７１】
第２保持部挿入工程Ｓ５１において第２保持部（ホルダＢ）２１が挿入されて配設された外装箱２２の内部空間に、照明ランプ１が挿入される（照明ランプ挿入工程Ｓ５２）。
照明ランプ１は、第２保持部（ホルダＢ）２１の主板部Ｂに形成された挿通孔Ｂ（２１２）に、口金１２が挿通する向きに挿入される。
照明ランプ１は、樹脂筐体１１１の錘状部が挿通孔Ｂ（２１２）に当接する位置まで挿入されて第２保持部（ホルダＢ）２１よって保持される。
【００７２】
照明ランプ挿入工程Ｓ５２において照明ランプ１が挿入された外装箱２２の内部空間に、第１保持部（ホルダＡ）２０が挿入される（第１保持部挿入工程Ｓ５３）。
第１保持部（ホルダＡ）２０は、折り曲げられた第１乃至４側板部（２０１ａ〜２０１ｄ）の、第１乃至４折り曲げ線（２０３ａ〜２０３ｄ）と対向する辺縁部を外装箱２２の包囲部２２０の一端側の開口部側（蓋部２２１側）に向けて、第１乃至４側板部（２０１ａ〜２０１ｄ）の山折り側の各面（４つの面）を、外装箱２２を形成する筒状の包囲部２２０の内面部に当接するように挿入される。
第１保持部（ホルダＡ）２０は、挿通孔Ａ２０２が照明ランプ１のトップカバー１００に当接する位置まで挿入されて配設される。
【００７３】
ここで、第１保持部（ホルダＡ）２０の、隣接する２つの折り曲げ線Ａが交差する４つの領域には、隣接する２つの折り曲げ線Ａの交点を含むように、それぞれ円弧状に切り欠かれた切り欠き部Ａ（２０４）が形成されているので、第１保持部（ホルダＡ）２０を外装箱２２に挿入する際に、外装箱２２を形成する筒状の包囲部２２０の内面角部に折り曲げ線Ａの交点が当接しない。このため、第１保持部（ホルダＡ）２０に変形や破損といったダメージを与えることがなく、第１保持部（ホルダＡ）２０を外装箱２２にスムーズに挿入することができる。
【００７４】
また、第１保持部（ホルダＡ）２０の、隣接する２つの折り曲げ線Ａが交差する４つの領域には、隣接する２つの折り曲げ線Ａの交点を含むように、それぞれ円弧状に切り欠かれた切り欠き部Ａ（２０４）が形成されているので、折り曲げ線Ａの交点が外装箱２２の筒状の包囲部２２０の一端側の開口部に引っ掛かることがなく、外装箱２２に変形や破損といったダメージを与えることがない。
【００７５】
外装箱２２の内部空間に、第１保持部（ホルダＡ）２０と第２保持部（ホルダＢ）２１とに挟持された状態で、外装箱２２が閉塞される（外装箱閉塞工程Ｓ５４）。
本実施形態において、フック用孔形成部（ハンガー）２２６は、２つのフック用孔２２７が貫通するように折り曲げられ、包囲部２２０と反対側の辺縁部は包囲部２２０の内部空間へ差し込まれる。次に、第１翼部（フラップＡ）２２３と第２翼部（フラップＢ）２２４とが、筒状の包囲部２２０の一端側の開口部に向かって折り曲げられる。そして、折り曲げられた第１翼部（フラップＡ）２２３と第２翼部（フラップＢ）２２４とに重なるように、蓋部２２１が筒状の包囲部２２０の一端側の開口部に向かって折り曲げられ、差し込み翼部（差し込みフラップ）２２５を包囲部２２０の内部空間へ折り込んで差し込むことによって、筒状の包囲部２２０の一端側の開口部が閉塞される。
【００７６】
（実施の形態１の作用効果）
本実施の形態における包装箱付き照明ランプ６００は、このように構成されて、組立てられており、包囲部２２０の内部空間において、照明ランプ１が保持される位置は、第１保持部（ホルダＡ）２０に形成される側板部Ａ（２０１）および挿通孔Ａ（２０２）の寸法と、第２保持部（ホルダＢ）２１に形成される側板部Ｂ（２１１）および挿通孔Ｂ（２１２）の寸法とによって決定される。
すなわち、照明ランプ１は、照明ランプ１の外周面部が、いずれも外装箱２２の内面部と当接しない位置に保持される。このため、輸送時などに包装箱付き照明ランプ６００の外部から加えられる振動や衝撃が第１保持部（ホルダＡ）２０および第２保持部（ホルダＢ）２１によって緩和され、照明ランプ１に伝わる振動や衝撃を抑制することができる。
【００７７】
ここで、図８を参照して、第１保持部（ホルダＡ）２０に形成された切り欠き部Ａ（２０４）、および、第２保持部（ホルダＢ）２１に形成された切り欠き部Ｂ（２１４）の作用効果について説明する。
図１２乃至１４は、実施の形態１の包装箱付き照明ランプの効果を説明する図である。図１２は、第２保持部（ホルダＢ）２１の側板部Ｂが、折り曲げ線Ｂ（２１３）から折り曲げられて折り曲げ部２１５が形成される過程を示す部分拡大図であり、図１３は、第２保持部（ホルダＢ）２１の側板部Ｂが、折り曲げ線Ｂ（２１３）から折り曲げられて、主板部Ｂ（２１０）に対して略９０度の角度となっている様子を示す部分拡大図である。そして、図１４は、図１３を主板部Ｂ（２１０）側から見た部分拡大図である。
【００７８】
図１２に示すように、板紙やダンボールなどの包装材を用いて形成される第２保持部（ホルダＢ）２１、所定の厚み寸法を有している。
このため、折り曲げ線Ｂ（２１３）から折り曲げると、折り曲げ部２１５の「山折り」側２１５ｍの面は矢印Ｓの向きに伸張し、折り曲げ部２１５の「谷折り」側２１５ｖの面は矢印Ｃの向きに収縮する。
主板部Ｂ（２１０）に対して略９０度の角度に折り曲げられると、折り曲げ線Ｂ（２１３）の「谷折り」側２１５ｖには、皺部２１５ｃが形成される。
皺部２１５ｃは４つの折り曲げ線Ｂ（２１３）の「谷折り」側２１５ｖに形成され、皺部２１５ｃの高さ寸法Ｌｃは、包装材の厚み寸法や硬さ、折り曲げ線の仕様（本実施の形態では「押罫」）などによって決まる寸法である。
【００７９】
ここで、図４乃至６を再び参照すると、本実施の形態において、第２保持部（ホルダＢ）２１の、隣接する２つの折り曲げ線Ｂ（２１３）が交差する４つの領域に、隣接する２つの折り曲げ線Ｂ（２１３）の交点を含むように、それぞれ円弧状に切り欠かれた切り欠き部Ｂ（２１４）が形成されている。
【００８０】
図１４を参照して、切り欠き部Ｂ（２１４）を詳述すれば、折り曲げられた側板部Ｂ（２１１）の「山折り」側の面を基点として皺部２１５ｃの高さ寸法はＬｃであり、同じ面を基点として切り欠き部Ｂ（２１４）の周縁部までの距離はＬｒである。そして、切り欠き部Ｂ（２１４）は、２つの寸法が、Ｌｒ＞Ｌｃの関係となるように形成される。
【００８１】
このため、隣接する２つの折り曲げ線Ｂ（２１３）の「谷折り」側２１５ｖに形成される２つの皺部２１５ｃどうしが、隣接する２つの折り曲げ線Ａ（２０３）の交点で互いに干渉しないので、隣接する２つの折り曲げ線Ｂ（２１３）の交点付近で、隣接する側版部Ｂ（２１１）どうしが外側に押し広げられることがない。
また、本実施の形態において、同様の構成を有する第１保持部（ホルダＡ）２０についても、同様の作用効果を得ることができる。
【００８２】
つまり、第１保持部（ホルダＡ）２０に形成された切り欠き部Ａ（２０４）、および、第２保持部（ホルダＢ）２１に形成された切り欠き部Ｂ（２１４）によって、第１保持部（ホルダＡ）２０、および、第２保持部（ホルダＢ）２１を、外装箱２２に挿入する際に、第１保持部（ホルダＡ）２０、第２保持部（ホルダＢ）２１、および、外装箱２２に変形や破損といったダメージを与えることがなく、第１保持部（ホルダＡ）２０、および、第２保持部（ホルダＢ）２１を外装箱２２にスムーズに挿入することができる。
さらに、第１保持部（ホルダＡ）２０の４つの折り曲げ線Ａ（２０３）の交点、および、第２保持部（ホルダＢ）２１の４つの折り曲げ線Ｂ（２１３）の交点は、が外装箱２２の筒状の包囲部２２０の一端側の開口部に引っ掛かることがなく、外装箱２２に変形や破損といったダメージを与えることがない。
【００８３】
（実施の形態１の変形例）
図１５乃至２０を参照して、実施の形態１における変形例を説明する。
図１５乃至２０は、実施の形態１の包装箱付き照明ランプの第１乃至６変形例を示す図である。
図１５乃至２０は、図６、すなわち第２保持部（ホルダＢ）２１のＡ部を引用して、切り欠き部Ｂ（２１４）の変形例について説明する図である。
【００８４】
図１５に示すように、切り欠き部Ｂ（２１４ａ）は、第２折り曲げ線２１３ｂと第３折り曲げ線２１３ｃとの交点Ｐを含むように切り欠かれた、主板部Ｂ（２１０）の扇状の領域から形成されている（第１変形例）。
切り欠き部Ｂ（２１４ａ）の半径は、折り曲げたときに形成される皺部２１５ｃの高さ寸法Ｌｃより大きな寸法に設定される。この条件を満たした上で、切り欠き部Ｂ（２１４ａ）の半径は、第２保持部（ホルダＢ）２１の強度を維持するために、切り欠き部Ｂ（２１４ａ）の半径は極力小さな値とすることが好ましい。
【００８５】
図１６に示すように、切り欠き部Ｂ（２１４ｂ）は、第２折り曲げ線２１３ｂと第３折り曲げ線２１３ｃとの交点Ｐを含むように切り欠かれた第２側板部２１１ｂの扇状の領域、および交点Ｐを含むように切り欠かれた第３側板部２１１ｃの扇状の領域から形成されている（第２変形例）。
切り欠き部Ｂ（２１４ｂ）の半径は、前述した寸法に設定される。
【００８６】
図１７に示すように、切り欠き部Ｂ（２１４ｃ）は、第２折り曲げ線２１３ｂと第３折り曲げ線２１３ｃとの交点Ｐを含むように切り欠かれた、第３側板部２１１ｃの扇状の領域から形成されている（第３変形例）。
切り欠き部Ｂ（２１４ｃ）の半径は、前述した寸法に設定される。
【００８７】
第２折り曲げ線２１３ｂと第３折り曲げ線２１３ｃとの交点Ｐを含むように、主板部Ｂ（２１０）、第２側板部２１１ｂ、第３側板部２１１ｃのいずれかの領域が扇状に切り欠かれることによって、隣接する２つの折り曲げ線Ｂ（２１３）の「谷折り」側２１５ｖに形成される２つの皺部２１５ｃどうしが、隣接する２つの折り曲げ線Ａ（２０３）の交点で互いに干渉しないので、隣接する２つの折り曲げ線Ｂ（２１３）の交点付近で、隣接する側版部Ｂ（２１１）どうしが外側に押し広げられることがない。
【００８８】
図１８および図１９に示すように、切り欠き部Ｂ（２１４ｄ）および切り欠き部Ｂ（２１４ｅ）は、切り欠き部Ｂ（２１４）の形状を変更したものである。
切り欠き部Ｂ（２１４ｄ）は、第２折り曲げ線２１３ｂと第３折り曲げ線２１３ｃとの交点Ｐを含むように切り欠かれた主板部Ｂ（２１０）の四角形の領域、交点Ｐを含むように切り欠かれた第２側板部２１１ｂの四角形の領域、および交点Ｐを含むように切り欠かれた第３側板部２１１ｃの四角形の領域が連接して形成されている（第４変形例）。
そして、切り欠き部Ｂ（２１４ｅ）は、第２折り曲げ線２１３ｂと第３折り曲げ線２１３ｃとの交点Ｐを含むように切り欠かれた主板部Ｂ（２１０）の三角形の領域、交点Ｐを含むように切り欠かれた第２側板部２１１ｂの三角形の領域、および交点Ｐを含むように切り欠かれた第３側板部２１１ｃの三角形の領域が連接して形成されている（第５変形例）。
【００８９】
図２０は、切り欠き部Ｂ（２１４）に代えて、切り込み部Ｂ（２１６）を用いた第２保持部（ホルダＢ）２１を示す図である。
第２折り曲げ線２１３ｂと第３折り曲げ線２１３ｃとの交点を一端として折り曲げ線上に形成される第１切り込み部２１６ａと、第１切り込み部２１６ａの他端から主板部２１０  側に向かって形成される第２切り込み部２１６ｂとが連接して形成されている（第６変形例）。
切り欠き部Ｂ（２１４）と同様に、隣接する２つの折り曲げ線Ｂ（２１３）の「谷折り」側２１５ｖに形成される２つの皺部２１５ｃどうしが、隣接する２つの折り曲げ線Ａ（２０３）の交点で互いに干渉しないので、隣接する２つの折り曲げ線Ｂ（２１３）の交点付近で、隣接する側版部Ｂ（２１１）どうしが外側に押し広げられることがない。
【００９０】
以上、第２保持部（ホルダＢ）２１のＡ部を引用して説明したが、上述した各変形例は、第２保持部（ホルダＢ）２１の他の切り欠き部Ｂ（２１４）や、第１保持部（ホルダＡ）２０の切り欠き部Ａ（２０４）の変形例として用いることができる。
【００９１】
以下、本発明の別の実施の形態を、図面を参照しながら説明する。実施の形態１と異なる部分を中心に説明し、共通する部分については説明を省略する。なお、以下に示す図面の形態によって本発明が限定されるものではない。
【００９２】
実施の形態２．
図２１は、実施の形態２の包装箱の主要構成を示す展開図である。
図２２は、実施の形態２の包装箱付き照明ランプの主要構成の組み立てた状態を示す断面図である。
図２１に示すように、外装箱２２ａが、第１保持部（ホルダＣ）２３を一体に形成している点が、実施の形態１と異なる。
図２２に示すように、包囲部２２０の内部空間で、照明ランプ１が第１保持部（ホルダＣ）２３と第２保持部（ホルダＢ）２１とに挟持された状態で、トップカバー１００が挿通孔Ｃ（２３２）によって保持され、口金１２または樹脂筐体１１１の錘状部が挿通孔Ｂ（２１２）によって保持される。
【００９３】
図２３は、実施の形態２の包装箱付き照明ランプの組立て手順を示す図である。
図２３に示すように、実施の形態２における包装箱付き照明ランプ６００ａの組立て手順の概略は、外装箱製造工程Ｓ６、第２保持部製造工程Ｓ３、照明ランプ製造工程Ｓ４、および、照明ランプ包装工程Ｓ７の工程からなる。
すなわち、第１保持部（ホルダＣ）２３は、独立した製造工程を備えず、外装箱２２ａと一体に形成され（外装箱製造工程Ｓ６）、外装箱２２ａと一体に形成された状態で折り曲げられる（照明ランプ包装工程Ｓ７）点が、実施の形態１と異なる。
詳しくは、外装箱断裁工程Ｓ６１において、第１保持部（ホルダＣ）２３の外形、挿通孔Ｃ（２３２）、および、切り欠き部Ｃ（２３４）が形成され、外装箱折り曲げ線形成工程Ｓ６２において、折り曲げ線Ａ（２３３）が形成される。
【００９４】
（実施の形態２の作用効果）
実施の形態２における包装箱付き照明ランプ６００ａは、第１保持部（ホルダＣ）２３が外装箱２２ａと一体に形成されて、組立てられており、包囲部２２０の内部空間において、照明ランプ１は、照明ランプ１の外周面部が、第１保持部（ホルダＣ）２３を除く外装箱２２ａの内面部と当接しない位置に、より安定に保持される。このため、輸送時などに包装箱付き照明ランプ６００ａの外部から加えられる振動や衝撃が、第１保持部（ホルダＣ）２３および第２保持部（ホルダＢ）２１によって緩和され、照明ランプ１に伝わる振動や衝撃をさらに抑制することができる。
また、第１保持部（ホルダＣ）２３が外装箱２２ａと一体に形成されたので、包装材の利用効率が改善され、部材の輸送や管理、組み立て工程などが簡素になるので、製造コストの削減ができる。
【００９５】
なお、実施の形態２の変形例として、用途に応じて、蓋部２２１側に配設される第１保持部（ホルダＣ）２３が外装箱２２ａと分離して形成されて、底部２２２側に配設される第２保持部（図示せず）が外装箱２２ａと一体に形成されてもよい。
【００９６】
実施の形態３．
図２４は、実施の形態３の包装箱の主要構成を示す展開図である。
図２５は、実施の形態３の包装箱付き照明ランプの主要構成の組み立てた状態を示す断面図である。
図２４に示すように、外装箱２２ｂが、第１保持部（ホルダＣ）２３とともに第２保持部（ホルダＤ）２４を一体に形成している点が、実施の形態１とさらに異なる。
図２５に示すように、包囲部２２０の内部空間で、照明ランプ１が第１保持部（ホルダＣ）２３と第２保持部（ホルダＤ）２４とに挟持された状態で、トップカバー１００が挿通孔Ｃ（２３２）によって保持され、口金１２または樹脂筐体１１１の錘状部が挿通孔Ｄ（２４２）によって保持される。
【００９７】
図２６は、実施の形態３の包装箱付き照明ランプの組立て手順を示す図である。
図２６に示すように、実施の形態３における包装箱付き照明ランプ６００ｂの組立て手順の概略は、外装箱製造工程Ｓ８、照明ランプ製造工程Ｓ４、および、照明ランプ包装工程Ｓ９の工程からなる。
すなわち、第１保持部（ホルダＣ）２３と第２保持部（ホルダＤ）２４とは、独立した製造工程を備えず、外装箱２２ｂと一体に形成され（外装箱製造工程Ｓ８）、外装箱２２ｂと一体に形成された状態で折り曲げられる（照明ランプ包装工程Ｓ９）点が、実施の形態１とさらに異なる。
詳しくは、外装箱断裁工程Ｓ８１において、第１保持部（ホルダＣ）２３の外形、挿通孔Ｃ（２３２）、切り欠き部Ｃ（２３４）、および、第２保持部（ホルダＤ）２４の外形、挿通孔Ｄ（２４２）、切り欠き部Ｄ（２４４）が形成され、外装箱折り曲げ線形成工程Ｓ８２において、折り曲げ線Ｃ（２３３）と折り曲げ線Ｄ（２４３）とが形成される。
【００９８】
（実施の形態３の作用効果）
実施の形態３における包装箱付き照明ランプ６００ｂは、第１保持部（ホルダＣ）２３と第２保持部（ホルダＤ）２４とが外装箱２２ｂと一体に形成されて、組立てられており、包囲部２２０の内部空間において、照明ランプ１は、照明ランプ１の外周面部が、第１保持部（ホルダＣ）２３と第２保持部（ホルダＤ）２４とを除く外装箱２２ｂの内面部と当接しない位置に、より安定に保持される。このため、輸送時などに包装箱付き照明ランプ６００ｂの外部から加えられる振動や衝撃が、第１保持部（ホルダＣ）２３および第２保持部（ホルダＤ）２４によって緩和され、照明ランプ１に伝わる振動や衝撃をさらに抑制することができる。
また、第１保持部（ホルダＣ）２３と第２保持部（ホルダＤ）２４とが外装箱２２ｂと一体に形成されたので、包装材の利用効率がさらに改善され、部材の輸送や管理、組み立て工程などがさらに簡素になるので、製造コストの削減ができる。
【００９９】
実施の形態４．
上述した、実施の形態１乃至３に係る、包装箱付き照明ランプ６００乃至６００ｂは、照明ランプを包装箱から取り出して、照明ランプの口金部に嵌合するソケットおよび１つあるいは複数の照明ランプを収容する筐体と組み合わされて、照明装置を構成することができる。
図２７は、実施の形態１乃至３に係る、包装箱付き照明ランプ６００乃至６００ｂから取り出した照明ランプ１が適用された照明装置８００の主要な構成を示す断面図である。
【０１００】
図２７に示すように、照明装置８００は、照明ランプ１と、照明ランプ１を内包する器具本体７７０と、照明ランプ１の口金１２が取り付けられるソケット７６０と、器具本体７７０内に設けられ照明ランプ１から出射される光を反射するリフレクタ７８０とを有する照明器具７００と備える。
図２７に例示する照明装置８００は、天井など形成された、器具取付け部９００である開口部に挿入され、器具取付け部９００側から室内に光を照射する照明装置である。照明ランプ１は、このような天井取り付け型の照明装置の他に、例えば、壁に設置される照明装置や卓上に載置される照明装置などに、適用することができる。
【０１０１】
以上、説明した包装箱付き照明ランプは、Ｅ１７タイプの口金を有するミニクリプトン形ＬＥＤ電球によって構成された例であるが、これに限定されるものではない。すなわち、包装箱付き照明ランプは、従来から使用されているフィラメントを用いた電球や放電管（蛍光管）を用いた電球形蛍光ランプなどによって構成されても良い。
また、包装される照明ランプの大きさ、材質、質量、光源に用いられる素子なども限定されず、これらを考慮して、上述した包装箱の要素を任意に組み合せて、最適な包装箱付き照明ランプを構成することができる。
すなわち、包装箱を構成する外装箱や保持部はその典型例を示したが、包装箱の各部の形状や寸法は、包装される照明ランプの仕様や包装材の経済性を勘案して変形が可能である。
【符号の説明】
【０１０２】
１  照明ランプ、１０  カバー、１００  第１カバー（トップカバー）、１０１  第２カバー（サイドカバー）、１１  筐体、１１０  金属筐体、１１１  樹脂筐体、１２  口金、２  包装箱、２０  第１保持部（ホルダＡ）、２００  主板部Ａ、２０１  側板部Ａ、２０２  挿通孔Ａ、２０３  折り曲げ線Ａ（折り曲げ罫線Ａ）、２０４  切り欠き部Ａ、２１  第２保持部（ホルダＢ）、２１１  側板部Ｂ、２１２  挿通孔Ｂ、２１３  折り曲げ線Ｂ（折り曲げ罫線Ｂ）、２１４  切り欠き部Ｂ、２１５  折り曲げ部、２１５ｃ  皺部、２２  外装箱（個装箱）、２２０  包囲部、２２０ｆ  糊しろ（グルーフラップ）、２２１  蓋部、２２２  底部、２２３  第１翼部（フラップＡ）、２２４  第２翼部（フラップＢ）、２２５  差し込み翼部（差し込みフラップ）、２２６  フック用孔形成部（ハンガー）、２２７  フック用孔、２２８  切り込み部、２３  第１保持部、２３０  主板部Ｃ、２３１  側板部Ｃ、２３２  挿通孔Ｃ、２３３  折り曲げ線Ｃ（折り曲げ罫線Ｃ）、２３４  切り欠き部Ｃ、２４  第２保持部、２４０  主板部Ｄ、２４１  側板部Ｄ、２４２  挿通孔Ｄ、２４３  折り曲げ線Ｄ（折り曲げ罫線Ｄ）、２４４  切り欠き部Ｄ、６００  包装箱付き照明ランプ、７００  照明器具、８００  照明装置、９００  器具取付け部。
【図１】
2015067284.tif 000003
【図２】
2015067284.tif 000004
【図３】
2015067284.tif 000005
【図４】
2015067284.tif 000006
【図５】
2015067284.tif 000007
【図６】
2015067284.tif 000008
【図７】
2015067284.tif 000009
【図８】
2015067284.tif 000010
【図９】
2015067284.tif 000011
【図１０】
2015067284.tif 000012
【図１１】
2015067284.tif 000013
【図１２】
2015067284.tif 000014
【図１３】
2015067284.tif 000015
【図１４】
2015067284.tif 000016
【図１５】
2015067284.tif 000017
【図１６】
2015067284.tif 000018
【図１７】
2015067284.tif 000019
【図１８】
2015067284.tif 000020
【図１９】
2015067284.tif 000021
【図２０】
2015067284.tif 000022
【図２１】
2015067284.tif 000023
【図２２】
2015067284.tif 000024
【図２３】
2015067284.tif 000025
【図２４】
2015067284.tif 000026
【図２５】
2015067284.tif 000027
【図２６】
2015067284.tif 000028
【図２７】
2015067284.tif 000029